(57)【要約】【課題】塗布した内容液がスクイズ解除時に容器内に逆流することを防止して、内容液を衛生的に保つことができる塗布容器を提供する。【解決手段】容器本体50の口部54に装着され、容器本体50のスクイズによって内容液を吐出すると共に、該吐出された内容液を塗布する中栓10に、容器本体50から内容液を吐出する吐出流路の一端を形成する吐出孔32と、吐出孔32を貫通すると共に、先端部に内容液の塗布面47が形成され、スクイズ時に前記吐出流路を開放すると共に、スクイズ解除時に前記吐出流路を遮断する棒状の塗布弁43と、外気を容器本体50内に導入する導入路と、スクイズ時に前記導入路を遮断すると共に、スクイズ解除時に前記導入路を開放する外気導入弁42とを設ける。【選択図】図２
2015067334.tif 000002
【特許請求の範囲】
【請求項１】
容器本体と、容器本体の口部に装着され、容器本体のスクイズによって内容液を吐出すると共に、該吐出された内容液を塗布する中栓とを備える塗布容器において、前記中栓は、
容器本体から内容液を吐出する吐出流路の一端を形成する吐出孔と、
前記吐出孔を貫通すると共に、先端部に前記内容液の塗布面が形成され、スクイズ時に前記吐出流路を開放すると共に、スクイズ解除時に前記吐出流路を遮断する棒状の塗布弁と、
外気を容器本体内に導入する導入路と、
スクイズ時に前記導入路を遮断すると共に、スクイズ解除時に前記導入路を開放する外気導入弁とを備えることを特徴とする塗布容器。
【請求項２】
前記中栓は、前記吐出流路の他端を形成する流入孔をさらに備え、
前記塗布弁は、前記吐出孔の内外方向にスライド可能に配置されると共に、前記吐出孔の内側方向に付勢されており、
前記塗布弁の後端部には、前記付勢によって前記流入孔を塞ぐと共に、スクイズによって前記付勢に抗して該塗布弁を前記吐出孔の外側方向にスライドさせることで前記流入孔を開放するシール面が形成されている、請求項１に記載の塗布容器。
【請求項３】
前記中栓は、
容器本体の口部に装着されると共に、前記吐出孔と、前記導入路の一端を形成する外気導入孔とを有する外キャップと、
容器本体の口部に装着されると共に、前記流入孔と、前記導入路の他端を形成する連通孔とを有する内キャップと、
前記外キャップ及び前記内キャップによって保持されると共に、前記塗布弁及び前記外気導入弁を有する弁体とをさらに備え、
前記弁体は、前記内キャップ及び前記外キャップに挟持され、前記内キャップと前記外キャップとの間の空間を内周側と外周側に分割すると共に外周面に前記外気導入弁が形成された環状壁と、該環状壁の内周面と前記塗布弁の外周面とを繋ぐ弾性腕片とをさらに有する、請求項２に記載の塗布容器。
【発明の詳細な説明】
【技術分野】
【０００１】
本発明は、容器本体の口部に装着され、容器本体のスクイズによって内容液を吐出すると共に、該吐出された内容液を塗布する中栓を備える塗布容器に関し、特に、塗布した内容液が容器内に逆流することを防止して、内容液を衛生的に保とうとするものである。
【背景技術】
【０００２】
従来、薬剤を塗布する中栓を備える塗布容器として、例えば特許文献１及び２に記載されるようなものが知られている。特許文献１では、中栓に設けた流出筒内に流量調節弁を形成することで、容器を倒立させるだけで適量の内容液を流出筒の先端から吐出させ、流出筒の先端を対象部位に押し当てて塗布できるようにしている。
【０００３】
また、特許文献２では、中栓に、シリンダ部材と、該シリンダ部材内をスライド可能なピストン状のノズル部材とを設け、シリンダ部材の先端を対象部位に押し当てると、ノズル部材が容器本体側にスライドして容器内を加圧し、該加圧によって、ノズル部材に形成された吐出流路を通じて内容液が吐出され、吐出された内容液をノズル部材の先端で対象部位に塗布できるようにしている。
【先行技術文献】
【特許文献】
【０００４】
【特許文献１】特開平１１−１５７５６７号公報
【特許文献２】実開平３−６９６５８号公報
【発明の概要】
【発明が解決しようとする課題】
【０００５】
しかしながら、前述したような従来の塗布容器では、容器本体のスクイズによって内容液を吐出するスクイズ式の容器とする場合には、スクイズ解除時に、塗布した内容液が容器内に逆流することを防止できず、内容液を衛生的に保つことができなかった。
【０００６】
本発明は、前記のような問題を解決するために開発されたもので、塗布した内容液がスクイズ解除時に容器内に逆流することを防止して、内容液を衛生的に保つことができる塗布容器を提供することを目的とする。
【課題を解決するための手段】
【０００７】
すなわち、本発明の要旨構成は以下のとおりである。
１．容器本体と、容器本体の口部に装着され、容器本体のスクイズによって内容液を吐出すると共に、該吐出された内容液を塗布する中栓とを備える塗布容器において、前記中栓は、
容器本体から内容液を吐出する吐出流路の一端を形成する吐出孔と、
前記吐出孔を貫通すると共に、先端部に前記内容液の塗布面が形成され、スクイズ時に前記吐出流路を開放すると共に、スクイズ解除時に前記吐出流路を遮断する棒状の塗布弁と、
外気を容器本体内に導入する導入路と、
スクイズ時に前記導入路を遮断すると共に、スクイズ解除時に前記導入路を開放する外気導入弁とを備えることを特徴とする塗布容器。
【０００８】
２．前記中栓は、前記吐出流路の他端を形成する流入孔をさらに備え、
前記塗布弁は、前記吐出孔の内外方向にスライド可能に配置されると共に、前記吐出孔の内側方向に付勢されており、
前記塗布弁の後端部には、前記付勢によって前記流入孔を塞ぐと共に、スクイズによって前記付勢に抗して該塗布弁を前記吐出孔の外側方向にスライドさせることで前記流入孔を開放するシール面が形成されている、前記１の塗布容器。
【０００９】
３．  前記中栓は、
容器本体の口部に装着されると共に、前記吐出孔と、前記導入路の一端を形成する外気導入孔とを有する外キャップと、
容器本体の口部に装着されると共に、前記流入孔と、前記導入路の他端を形成する連通孔とを有する内キャップと、
前記外キャップ及び前記内キャップによって保持されると共に、前記塗布弁及び前記外気導入弁を有する弁体とをさらに備え、
前記弁体は、前記内キャップ及び前記外キャップに挟持され、前記内キャップと前記外キャップとの間の空間を内周側と外周側に分割すると共に外周面に前記外気導入弁が形成された環状壁と、該環状壁の内周面と前記塗布弁の外周面とを繋ぐ弾性腕片とをさらに有する、前記２の塗布容器。
【発明の効果】
【００１０】
本発明によれば、容器本体をスクイズすることにより、導入路を外気導入弁で遮断すると共に吐出流路を塗布弁に開放させて、内容液を吐出孔から吐出させることができ、吐出させた内容液を、塗布弁の先端部に形成された塗布面を用いて対象部位に塗布することができる。また、容器本体のスクイズ解除時には、導入路を外気導入弁に開放させて外気を容器本体内に導入すると共に、吐出流路を塗布弁で遮断し、内容液が容器本体内に逆流することを防止することができる。
【００１１】
したがって、本発明によれば、塗布した内容液がスクイズ解除時に容器内に逆流することを防止して、内容液を衛生的に保つことができる塗布容器を提供することができる。
【図面の簡単な説明】
【００１２】
【図１】本発明の一実施形態に係る塗布容器を示す側面図である。
【図２】図１の塗布容器の要部を示す半断面側面図である。
【図３】図１の塗布容器の要部を、オーバーキャップを取り外し、スクイズした状態で示す半断面側面図である。
【図４】図３の塗布容器の要部を、スクイズ解除時の状態で示す半断面側面図である。
【図５】本発明の他の実施形態に係る塗布容器の要部を示す半断面側面図である。
【発明を実施するための形態】
【００１３】
以下、図１〜図４を参照して、本発明の一実施形態に係る塗布容器について詳細に例示説明する。
なお、本明細書において、上下方向とは、容器を起立させた状態を基準とし、上側とは、例えば図１における上側を意味し、下側とは、例えば図１における下側を意味するものとする。
【００１４】
図１及び図２に示すように、本実施形態に係る塗布容器１は、中栓１０を備えている。中栓１０は、本実施形態では、内キャップ２０と、外キャップ３０と、弁体４０とからなっている。また、塗布容器１は、容器本体５０と、オーバーキャップ６０とを備えている。
【００１５】
容器本体５０は、本実施形態では、底部５１、胴部５２、肩部５３及び口部５４をこの順に連ねて形成されるボトル状をなしている。口部５４の外周面には、雄ねじ５４ａが形成されている。
【００１６】
口部５４には、内キャップ２０が嵌め込まれている。内キャップ２０は、口部５４の上端縁に外周縁下面が当接する天面壁２１を有する。天面壁２１の外周縁上面には、上方に突出する筒壁２２が軸線Ｏの周りに周設されている。天面壁２１の下面には、口部５４の内周面に当接するシール筒２３が垂設されている。シール筒２３の内周側には、天面壁２１を貫通する少なくとも１つの連通孔２４が形成されている。連通孔２４の内周側には、天面壁２１の上面に形成された環状の嵌合凹部２５が配置されている。嵌合凹部２５の内周側には、天面壁２１から起立する案内筒２６が軸線Ｏの周りに周設されている。天面壁２１の中央には、軸線Ｏを中心とする流入孔２７が設けられている。案内筒２６の下端と流入孔２７とを繋ぐ領域の上面には、下向き切頭円錐状の内キャップ側シール面２８が形成されている。
【００１７】
外キャップ３０は、口部５４の雄ねじ５４ａに螺合する雌ねじ３１ａによって口部５４に装着される環状の外壁３１を有する。外壁３１の上端には、内キャップ２０の天面壁２１との間に空間Ｓを形成すると共に、内キャップ２０の流入孔２７の上方に、吐出孔３２を形成する天壁３３が連設されている。天壁３３は、内キャップ２０の筒壁２２上端面に当接するフランジ３４と、フランジ３４の内周縁から上方に突出する環状突起３５と、環状突起３５の内周側面に連設された軸線Ｏを中心とする切頭円錐状の流出筒３６とを有する。環状突起３５には、環状突起３５を貫通する少なくとも１つの外気導入孔３７が形成されている。外気導入孔３７の上端は、環状突起３５の径方向外側に向って開口している。流出筒３６の下端外周縁には、嵌合筒３８が垂設されている。また、流出筒３６の上端内周面によって、吐出孔３２が形成されている。流出筒３６の上端には、吐出孔３２を取り囲む環状の保持突起３９が軸線Ｏの周りに周設されている。保持突起３９の内周面は、下方に凸となる湾曲形状になっている。
【００１８】
弁体４０は、内キャップ２０の嵌合凹部２５に下端縁が嵌合し、外キャップ３０の嵌合筒３８に上端縁が嵌合する環状壁４１を有する。環状壁４１は、内キャップ２０の天面壁２１と外キャップ３０の天壁３３との間に形成された空間Ｓを、環状壁４１の内周側の空間Ｓ１と、環状壁４１の外周側の空間Ｓ２とに分割すると共に、空間Ｓ１と空間Ｓ２との間を封止している。環状壁４１の外周面には、外気導入弁４２が連設されている。外気導入弁４２の外周縁上端は、外キャップ３０のフランジ３４の内周縁下面に当接している。
【００１９】
環状壁４１の内周面には、当該内周面と、環状壁４１の内周側に配置され、吐出孔３２を貫通する棒状の塗布弁４３の外周面とを繋ぐ弾性腕片４４が連設されている。弾性腕片４４は、外周側から内周側に向って上方に傾斜している。塗布弁４３は、吐出孔３２の内外方向（すなわち、上下方向）にスライド可能であると共に、弾性腕片４４によって吐出孔３２の内側方向（すなわち、下方）に付勢されている。塗布弁４３の外周面には、上下方向に延びる縦溝４５が、本例では軸線Ｏの周りに等間隔に４本設けられている。縦溝４５の上端部４５ａは、上方に向って溝が浅くなるテーパ状に形成されている。縦溝４５の上端部４５ａの上端は、吐出孔３２内に位置している。塗布弁４３の後端部（すなわち、下端部）には、内キャップ側シール面２８に液密に当接するシール面４６が形成されている。塗布弁４３の先端部（すなわち、上端部）には、半球状の塗布面４７が形成されている。
【００２０】
オーバーキャップ６０は、中栓１０を覆い、弁体４０の塗布弁４３の塗布面４７を押圧した状態で容器本体５０に装着されるように構成されている。すなわち、オーバーキャップ６０は、外キャップ３０の外壁３１の下端縁と係合する係止爪６１を内周面下端縁に周設された外筒６２と、外筒６２の上端縁に連設され、略切頭円錐状をなす上壁６３と、上壁６３の上端縁に連設され、塗布面４７に当接する略半球状の凹部６４を下面に有する頂壁６５とを有する。上壁６３の下面には、外キャップ３０の保持突起３９の外周面に当接する内筒６６と、外キャップ３０の環状突起３５の外周面に当接する中筒６７とが垂設されている。
【００２１】
かかる構成によれば、塗布容器１のオーバーキャップ６０を取り外し、容器を起立させた状態又は倒立させた状態で、容器本体５０の胴部５２をスクイズすることで、図３に示すように、一端が外気導入孔３７によって形成され、他端が連通孔２４によって形成される導入路を外気導入弁４２によって遮断すると共に、塗布弁４３を、弾性腕片４４の付勢に抗して上方にスライドさせて、一端が吐出孔３２によって形成され、他端が流入孔２７によって形成される内容液の吐出流路を開放することができる。したがって、内容液を、図３中に矢印で示す経路に従って、塗布弁４３の先端部に形成された塗布面４７まで到達させ、当該塗布面４７上に表面張力によって保持させることができる。
【００２２】
そして、スクイズを解除すると、図４に示すように、塗布弁４３が弾性腕片４４の付勢力によって下方にスライドし、塗布弁４３の後端部に形成されたシール面４６によって内容液の吐出流路が遮断されると共に、外気導入弁４２が前記導入路を開放して、外気を、該導入路を通じて、図４中に矢印で示す経路に従って、容器本体５０内に導入することができる。このとき、外キャップ３０の流出筒３６には保持突起３９が設けられていることにより、吐出させた内容液を保持突起３９の内周側に保持することができるため、塗布面４７上により多い量の内容液を保持することができる。
【００２３】
この状態で、塗布面４７を対象部位に当接させて、内容液を塗布することができる。そして、その際には、塗布弁４３の後端部に形成されたシール面４６によって内容液の吐出流路が遮断されているため、塗布した内容液が容器本体５０内に逆流することを防止して、内容液を衛生的に保つことができる。また、内容液を塗布する際には、容器本体５０内から内容液が吐出されることがないため、薬剤等の内容液を患部以外の場所に誤って塗布することを防止することができる。さらに、内容液を塗布する際には、塗布弁４３の先端が対象部位に押しつけられるため、塗布弁４３の後端部に形成されたシール面４６が内キャップ２０の内キャップ側シール面２８に押し付けられ、シール面４６と内キャップ側シール面２８との間が確実に封止される。したがって、塗布した内容液の逆流をより確実に防止することができ、また、塗布時に容器本体５０内から内容液が漏れ出すこともなく、この点からも、薬剤等の内容液を患部以外の場所に誤って塗布することを防止することができる。
【００２４】
また、外気導入孔３７の上端が、環状突起３５の径方向外側に向って開口しているため、外気導入孔３７の軸方向（上方）に存在する天壁３３によって、内容液の塗布時に外気導入孔３７から容器内に内容液が侵入することを抑制することができる。また、本実施形態によれば、中栓１０を、内キャップ２０、外キャップ３０及び弁体４０という３つの部材で構成することにより、構造を簡素化することができる。
【００２５】
さらに、本実施形態によれば、塗布弁４３の塗布面４７が半球状をなしているため、内容液の塗布時に、塗布面４７の対象部位に当接する部分（すなわち、半球状部の上端）と吐出孔３２との距離を大きくとることができる。したがって、塗布した内容液が、塗布弁４３の外周面と吐出孔３２との隙間から中栓１０内に侵入することを抑制することができる。また、塗布面４７が半球状をなしていることで、効率的に、大きい表面積を有する塗布部を形成することができるため、効率的に多い量の内容液を保持することが可能となる。さらに、塗布面４７が半球状をなしていることで、塗布時において、皮膚などの接触部に刺激を与えることを回避することもできる。
【００２６】
次に、図５を参照して、本発明の他の実施形態に係る塗布容器について例示説明する。
本実施形態の塗布容器１’は、図１〜図４を用いて前述した実施形態の場合とは、内キャップ２０の形状、外キャップ３０の形状、弁体４０の弾性腕片４４の形状が異なる他は、同一の構成になっている。
【００２７】
本実施形態では、内キャップ２０は、天面壁２１の外周縁から垂設された外周壁２９を有し、外周壁２９の内周面には、容器本体５０の口部５４の雄ねじ５４ａに螺合する雌ねじ２９ａが形成されている。外周壁２９の外周面上部には、外キャップ３０の回転を防止する上下方向の回転防止溝２９ｂが形成されており、回転防止溝２９ｂには、外キャップ３０の外壁３１の内周面上部に突設された回転防止突起３１ｂが嵌合している。
【００２８】
外キャップ３０の外壁３１の下端縁には、内キャップ２０の外周壁２９の下端縁と係合する係止爪３１ｃが形成されている。外キャップ３０の天壁３３は、嵌合筒３８の内周側に、弁体４０の環状壁４１の上端内周面に当接する内側嵌合筒３８ａを有している。
【００２９】
弁体４０の弾性腕片４４は、本実施形態では、環状壁４１の内周面と、塗布弁４３の外周面とを水平に軸線Ｏの周りの３点で繋ぐことで、塗布弁４３をいわゆる３点弁として機能させている。
【００３０】
また、本実施形態では、連通孔２４の上端が弁体４０の環状壁４１の外周側に位置し、連通孔２４の下端が弁体４０の環状壁４１の内周側に位置している。
かかる構成によれば、図１〜図４を用いて前述した実施形態の場合と同様の効果を得ることができる。
【００３１】
上述したところは、本発明の一実施形態を示したにすぎず、特許請求の範囲において、種々の変更を加えることができる。例えば、塗布弁４３の塗布面４７は半球状をなすものとして説明したが、必ずしもそのような形状に限定する必要はなく、例えば平面状とすることもできる。
【符号の説明】
【００３２】
１，１’  塗布容器
１０，１０’  中栓
２０  内キャップ
２１  天面壁
２２  筒壁
２３  シール筒
２４  連通孔
２５  嵌合凹部
２６  案内筒
２７  流入孔
２８  内キャップ側シール面
２９  外周壁
２９ａ  雌ねじ
２９ｂ  回転防止溝
３０  外キャップ
３１  外壁
３１ａ  雌ねじ
３１ｂ  回転防止突起
３１ｃ  係止爪
３２  吐出孔
３３  天壁
３４  フランジ
３５  環状突起
３６  流出筒
３７  外気導入孔
３８  嵌合筒
３８ａ  内側嵌合筒
３９  保持突起
４０  弁体
４１  環状壁
４２  外気導入弁
４３  塗布弁
４４  弾性腕片
４５  縦溝
４５ａ  縦溝の上端部
４６  シール面
４７  塗布面
５０  容器本体
５１  底部
５２  胴部
５３  肩部
５４  口部
５４ａ  雄ねじ
６０  オーバーキャップ
６１  係止爪
６２  外筒
６３  上壁
６４  凹部
６５  頂壁
６６  内筒
６７  中筒
Ｏ  軸線
Ｓ，Ｓ１，Ｓ２  空間
【図１】
2015067334.tif 000003
【図２】
2015067334.tif 000004
【図３】
2015067334.tif 000005
【図４】
2015067334.tif 000006
【図５】
2015067334.tif 000007